(57)【要約】【課題】引違サッシに限らず、片引きサッシ等の横引きサッシ等で、清掃が十分に行えるようにすること、開口の有効幅を広くすること及び内外障子の引き違いを妨げることがない障子開放補助装置を提供すること。【解決手段】開放補助装置１は、障子として、例えば引違サッシの内外障子２，３を開く際に、各障子２，３の初動を軽くするために使用者を補助するもので、図１乃至図３のように、前記内外障子２，３のそれぞれの戸先框２０，３０の内部に取り付けられている。【選択図】        図１
2019035308.tif 000002
【特許請求の範囲】
【請求項１】
障子を開く際に、障子の初動を軽くするために使用者を補助する障子開放補助装置において、
該装置は、台座とこれに取り付けられた操作レバーを備えると共に、
前記台座と操作レバーは、障子の戸先框の室内見付面から室外側に取り付けられていることを特徴する障子開放補助装置。
【請求項２】
外障子に取り付けられた前記操作レバーの先端が、内外障子が引き違えることができるように、内召合框の室外側見付面より室外側に位置されていることを特徴する請求項１に記載の障子開放補助装置。
【請求項３】
前記操作レバーの操作に連動される押出部を備えると共に、その押出部の押出力は、縦枠に設けられる外力受部により受けられることを特徴する請求項１または２に記載の障子開放補助装置。
【請求項４】
前記戸先框に対する台座の係合部が、前記框内部の見込方向に位置され、かつ、弾性片により構成されていることを特徴する請求項１または２に記載の障子開放補助装置。
【請求項５】
請求項１から４に記載の障子開放補助装置のいずれかを取り付けた建具。
【請求項６】
請求項５に記載の建具を設けた建築物。
【発明の詳細な説明】
【技術分野】
【０００１】
本発明は、障子を開く際に、障子の初動を軽くするために使用者を補助する障子開放補助装置、これを取り付けた建具、及びその建具を設けた建築物に関する。
【背景技術】
【０００２】
ハイサッシやペアガラスが納められた障子等、重量がある障子を開けるには、その初動に大きな力が必要になり、そのため障子開放補助装置が取り付けられている。障子に取り付けられる気密材の影響で重い初動の開閉力を軽くするためにも、障子開放補助装置が必要とされる。
【０００３】
このような障子開放補助装置として、例えば特許文献１では、開閉補助機構１０が開示されている。
該開閉補助機構１０は、戸先框５ｄの内部に設けられ縦枠２ｃ，２ｄを押圧する反力で障子３，４を開方向へ押し動かす作動部１１を有する本体部１２と、戸先框５ｄの室内側に設けられ前記作動部１１を作動操作すると共に障子３，４を開閉操作するための把手部１３とを有していることを特徴とする。
【特許文献１】特開２００３−１５５８６７号公報
【発明の開示】
【発明が解決しようとする課題】
【０００４】
しかし、外障子４の戸先框５ｄに取り付けられた開閉補助機構１０は、戸先框５ｄの室内側見付面より室内側に飛び出して取り付けられているため、内外の障子３，４を引き違える際に、その開閉補助機構１０とクレセント８（または内障子３の召し合せ框５ｃ）とが突き当たる。
そのため、それ以上の内外の障子３，４の引き違いが行えないことは、図１及び図３に図示されている開閉補助機構１０とクレセント８の配置位置から、明らかである。
【０００５】
その結果、障子の清掃が十分に行えないこと、開口の有効幅が狭くなってしまうことの他、外障子４の召し合せ框５ｃに取り付けられているクレセント受けの位置の調整が必要な場合に、前記開閉補助機構１０を取り外したり、内障子３を窓枠から外してから、クレセント受けのネジ止め部を室内側に臨ませることが必要になる。
また、近年は断熱複合サッシが増えているが、前記開閉補助機構１０では、その作動部１１のローラ２０が縦枠の内側面を押圧する旨が記載（段落００２０）されており、かかる構成では、縦枠にポリ塩化ビニル（ＰＶＣ）等の樹脂材が配置されている断熱複合サッシの場合には、樹脂材を押圧して変形させてしまうおそれがある。
【０００６】
そこで、本願発明は、引違サッシに限らず、片引きサッシ等の横引きサッシ等で、清掃が十分に行えるようにすること、開口の有効幅を広くすること、内外の障子の引き違いを妨げることがない障子開放補助装置、これを取り付けた建具、及びその建具を設けた建築物を提供すること、複合サッシの場合において、室内側に配置される樹脂材を変形させてしまうおそれがない障子開放補助装置、これを取り付けた建具、及びその建具を設けた建築物を提供することを目的とする。
【課題を解決するための手段】
【０００７】
上記課題を解決するため、
本願発明は、障子を開く際に、障子の初動を軽くするために使用者を補助する障子開放補助装置において、
該装置は、台座とこれに取り付けられた操作レバーを備えると共に、
前記台座と操作レバーは、障子の戸先框の室内見付面から室外側に取り付けられていることを特徴する障子開放補助装置とした（請求項１の発明）。
【０００８】
外障子に取り付けられた前記装置の操作レバーの先端が、内外障子が引き違えることができるように、内召合框の室外側見付面より室外側に位置されていることを特徴する障子開放補助装置とした（請求項２の発明）。
【０００９】
前記装置は、前記操作レバーの操作に連動される押出部を備えると共に、その押出部の押出力は、縦枠に設けられる外力受部により受けられることを特徴する障子開放補助装置とした（請求項３の発明）。
【００１０】
前記戸先框に対する台座の係合部が、前記框内部の見込方向に位置され、かつ、弾性片により構成されていることを特徴する障子開放補助装置とした（請求項４の発明）。
【００１１】
建具に、上記各障子開放補助装置のいずれかを取り付けるようにしてもよい（請求項５の発明）。
【００１２】
建築物に、上記建具を設けるようにしてもよい（請求項６の発明）。
【発明の効果】
【００１３】
この発明の障子開放補助装置によれば、前記装置の台座は、内外障子が引き違えることができるように、外障子の戸先框の室内見付面から室外側に取り付けられ、戸先框３０の内部に取り付けられるので、内外障子を引き違えることができ、クレセント受けの調整や清掃が容易に行える。
【図面の簡単な説明】
【００１４】
【図１】開放補助装置が取り付けられた引違サッシの室内側から見た正面図、
【図２】同引違サッシの横断面図、
【図３】同装置の取付状態を示す引違サッシの要部断面図、
【図４】同装置の正面図、
【図５】同装置の分解斜視図、
【図６】同装置の側面図、
【図７】同装置の背面図、
【図８】同装置の断面図である。
【発明を実施するための形態】
【００１５】
本発明に係る開放補助装置１の実施形態を図面に基いて説明する。
前記開放補助装置（以下、単に装置と略称する）１は、障子として、例えば引違サッシの内外障子２，３を開く際に、各障子２，３の初動を軽くするために使用者を補助するもので、図１乃至図３のように、前記内外障子２，３のそれぞれの戸先框２０，３０の内部に取り付けられている。
【００１６】
前記内外障子２，３は、断熱複合サッシとして構成されており、図２のように室外側にアルミ材が配置され、そのアルミ材の室内側にＰＶＣ等の樹脂材が配置されている。
前記装置１が取り付けられる建具は、断熱複合サッシに限られず、また引違サッシに限られず片引きサッシ、両引きサッシ等でもよい。
【００１７】
前記戸先框２０，３０に対する前記装置１の配置位置は、図１のように、内外障子２，３の内外召合框２３，３３のクレセント２１及びクレセント受け３１と略同一の高さ位置となっているが、その位置に限定されるものではなく、内外障子２，３が配置される環境に応じて、前記装置１の配置位置も変化させることができる。
なお、前記内障子２に取り付けられている装置１と前記外障子３に取り付けられている装置１は、略同一の構成であり、以下の説明においては、前記外障子３の装置１を、前記内障子２の装置１に代表させて説明する。
また、各図において、同一の構成は同一の符号を付して重複した説明を省略する。
【００１８】
前記装置１は、図２等に示したように、台座４と、その開口部４０から戸先框３０の室内側見付面３２に臨む操作レバー５を備えると共に、前記操作レバー５は、図４に示す初期位置（詳細は後述）から外障子３を開く方向の反時計周りに回動される際に発生される力を、図５に図示したアーム６を介してスライダー７に伝達している。
【００１９】
前記台座４は、図３〜図８に図示したように、前記開口部４０と、その開口部４０の外周に形成された縁部４１と、前記アーム６を回動可能に軸支持する軸４２を固定する軸支持部４３と、前記軸４２に空転して回動する前記アーム６をガイドするガイド切欠部４４（図８参照）と、前記操作レバー５の回動の範囲を規制する回動規制部４５と、前記戸先框３０に対して台座４を止着させる係合部４６を備え、前記室内側見付面３２に形成されている取付開口３４に前記縁部４１を密着させ、前記戸先框３０の框内部に収容されている。
【００２０】
前記開口部４０には、前記操作レバー５の把持部５０が前記開口部４０の略中心Ｃに位置する初期位置にある状態において、その把持部５０の左右に使用者の手指を挿入させるスペース部４７が形成されている。
【００２１】
前記縁部４１は、前記戸先框３０の長手方向に沿うように、縦長に形成された長手部４８と、この長手部４８に交差する短手部４９を備えおり、これらの長手部４８と短手部４９を前記取付開口３４の外周に密着させることで、前記縁部４１と室内側見付面３２とは、略面一状態となっている。
【００２２】
前記軸支持部４３は、前記縁部４１の後方で、且つ、前記長手部４８の長手方向に沿うように上下に形成されており、その間において、前記アーム６を空転可能に軸支持する前記軸４２が固定されている。
【００２３】
前記回動規制部４５は、前記縁部４１の後方で、且つ、前記長手部４８の長手方向に沿うように上下に形成されており、前記操作レバー５をその初期位置に保持させる保持片４５Ａと、前記操作レバー５を回動させた場合に、その回動を規制する規制片４５Ｂを備えている（図８参照）。
【００２４】
前記係合部４６は、前記軸支持部４３に隣接させて、前記縁部４１の後方で、且つ、前記長手部４８の長手方向に沿うように上下に形成されると共に、前記戸先框３０の見込方向に形成されている。
前記係合部４６は、弾性片となっており、その先端にフック４６Ａが形成され、前記戸先框３０の内部に形成されている壁面部３５Ａ（アルミ材の室内側壁面部）に係合されて、前記戸先框３０に対する台座４の止着部となっている。
なお、戸先框３０が断熱複合サッシでない場合は、別部材の金具によって、戸先框３０の中空部に被係合部を設けてもよい。
【００２５】
前記操作レバー５は、前記把持部５０と前記保持片４５Ａに対応する被保持片５１と、前記規制片４５Ｂに対応する被規制片５２と、前記アーム６の取付片６０を収容する収容部５３を備える（図８参照）。
【００２６】
前記把持部５０は、前記長手部４８に略平行するように位置され、外障子３を開く際に、指先の掛かりとなる凹部５４が長手方向に形成されており（図５参照）、前記把持部５０の先端５５が、前記内召合框２３の室外側見付面２２（本実施形態では煙返しの室外側見付面）より室外側に位置されている（図２参照）。
【００２７】
前記収容部５３に前記アーム６の取付片６０が収容されていることにより、前記操作レバー５は前記アーム６に保持されて回動可能に、前記台座４に取り付けられている。
【００２８】
前記アーム６は、図５のように、アーム本体６１と、その上下端においてアーム本体６１を固定する固定片６２と、前記取付片６０を備えると共に、前記固定片６２に前記軸４２を挿通させる軸孔６３が形成されており、前記アーム６が空転可能に構成されている。
【００２９】
前記スライダー７は、図４〜図８のように、前記アーム６の回動力を受けて、前記外障子３の縦枠３６側を押圧する押出部としてのスライドピース７０と、このスライドピース７０をスライド可能に保持するケース７１を備える。
【００３０】
前記ケース７１には、図８のように、前記アーム６の回動力を受けて、スライドするスライドピース７０に抗する付勢力を備えたバネ７２が収容され、そのバネ７２の一端が固定されている。
【００３１】
前記スライドピース７０は、図５のように、その一端に前記アーム６に係着される係着部７３を備え、他端が押出部７６として機能し、またバネ７２の他端を取り付ける凸部７４（図８参照）を備えている。
このように構成された前記スライダー７は、前記ケース７１の取付部７５が、図示しない裏板を介して、前記戸先框３０の壁面部３５Ｂ（アルミ材の縦枠側壁面部）に固定されている。
【００３２】
前記スライドピース７０の押出力は、縦枠３６に設けられている外力受部８により受けられる。
前記外力受部８は、図２及び図３のように、建築物に固定された縦枠３６を構成するアルミ材の一部として形成されている共に押出部７６に押圧される面部と、樹脂材３７のリブとで中空状に設けられており、前記押出力による変形を防止している。
なお、形材とは別部材の金具を用いてもよい。また、建築物は図２の木造に限らず、ＲＣ造やＳＣ造等でもよい。
【００３３】
以上のように構成された前記内外障子２，３及び装置１の動作例を説明する。
前記内外障子２，３が閉鎖され、且つ、前記装置１の操作レバー５が初期位置にある状態から、内外障子２，３を引き違えるまでの動作例を説明する。
前記クレセント２１を解錠し、前記外障子３の前記装置１の操作レバー５の把持部５０を把持して、操作レバー５を回動させつつ、外障子３を開放する。
前記操作レバー５の回動により、反時計周りに回動される際に生成される回動力は、前記アーム６を介して、スライダー７のスライドピース７０を縦枠３６の方向に押出させる。前記縦枠３６方向へのスライドピース７０の押出力は、前記外力受部８で受け止められ、その反力で障子３を開方向へ押し動かすこととなる。
【００３４】
この段階の動作例は、図８に図示されており、前記操作レバー５の被規制片５２が、台座４の規制片４５Ｂで規制されて、操作レバー５の回動が制動されるが、操作レバー５の把持部５０から操作者が手を離れると、前記スライドピース７０のバネ７２の付勢力が、前記アーム６を介して操作レバー５に伝達されて、前記装置１の操作レバー５が初期位置に復帰することとなる。
【００３５】
前記内障子２及びその装置１の操作レバー５では、前記操作レバー５の回動は、時計周りの方向となるが、それ以外の動作例は、前記外障子３及びその装置１の操作レバー５と略同様である。
【００３６】
引き続き、前記内外障子２，３を開放方向に移動させた場合、前記外障子３の操作レバー５の先端５５は、前記内召合框２３の室外側見付面２２より室外側に位置されているので、外障子３の外召合框３３に取り付けられているクレセント受け３１のネジ止め部を室内側に臨ませることができるまで、内外障子２，３を引き違えることができる。
【００３７】
以上のように構成された前記装置１、これを取り付けた建具、及びその建具を設けた建築物では、内外障子２，３に対する初動の開閉力が軽くなるほか、次のような作用効果を奏する。
（１）  前記台座４の係合部４６が、前記戸先框３０に対する台座４の止着部となっており、ビス等が室内側見付面３２に露出せず、意匠性を向上させることができる。
また、前記台座４が室内側見付面３２に係合されていると、前記操作レバー５の操作により発生する縦枠３６からの反力により、前記台座４が室内側見付面３２等において「がたつく」可能性がある。一方、前記装置１では、前記反力は、弾性片である前記係合部４６で受けることができるので、前記台座４の縁部４１等に反力が伝わることを避けることができる。
（２）  前記外障子３の操作レバー５の先端５５は、前記内召合框２３の室外側見付面２２より室外側に位置されているので、外障子３のクレセント受け３１のネジ止め部を室内側に臨ませることができるまで、内外障子２，３を引き違えることができるので、クレセント受けの調整や清掃が容易に行える。
（３）  また、前記装置１のハンドル等が内障子２に当たることを避けるためのストッパ部材として、例えば外障子３の上下框に樹脂ブロックを取り付ける等の必要がなくなり、有効開口が大きくとれる。よって、居住者等のバルコニーへの出入りや物の出し入れが容易になると共に換気効率が増すので、居住者等の利便性や建築物の室内環境が向上する。
（４）  内障子２に前記装置１を取り付けた場合も、台座４と操作レバー５が内障子２の室内側見付面より室内側に飛び出さないので、室内側のカーテンやブラインドの取り付けに影響を与えることがなく、内窓を取り付けて２重サッシにすることもできる。
（５）  前記外力受部８は、障子閉時には、戸先框３０に隠れた位置になるので、意匠性が向上する。
（６）  断熱複合サッシの場合、前記外力受部８はアルミ材に形成された面部がスライドピース７０の押出部７６に押圧されるので、樹脂材３７が直接押圧されることがなく、樹脂材３７の変形等を避けることができる。
【００３８】
本発明は、以上説明した実施形態に限定されるものではなく、多くの変形が本発明の技術的思想内で当分野において、通常の知識を有する者により可能である。
【符号の説明】
【００３９】
１  開放補助装置
２  内障子                              ２０  戸先框
２１  クレセント                        ２２  室外側見付面
２３  内召合框
２６  縦枠
３  外障子
３０  戸先框                            ３１  クレセント受け
３２  室内側見付面                      ３３  外召合框
３４  取付開口                          ３５Ａ，Ｂ  壁面部
３６  縦枠                              ３７  樹脂材
４  台座
４０  開口部                            ４１  縁部
４２  軸                                ４３  軸支持部
４４  ガイド切欠部                      ４５  回動規制部
４５Ａ  保持片                          ４５Ｂ  規制片
４６  係合部                            ４７  スペース部
４８  長手部                            ４９  短手部
４６Ａ  フック
５  操作レバー
５０  把持部                            ５１  被保持片
５２  被規制片                          ５３  収容部    
５４  凹部                              ５５  先端
６  アーム                              ６０  取付片
６１  アーム本体                        ６２  固定片
６３  軸孔
７  スライダー
７０  スライドピース                    ７１  ケース
７２  バネ                              ７３  係着部
７４  凸部                              ７５  取付部
７６  押出部
８  外力受部
【図１】
2019035308.tif 000003
【図２】
2019035308.tif 000004
【図３】
2019035308.tif 000005
【図４】
2019035308.tif 000006
【図５】
2019035308.tif 000007
【図６】
2019035308.tif 000008
【図７】
2019035308.tif 000009
【図８】
2019035308.tif 000010